(57)【要約】  本出願は、  (i)第1の化粧品組成物および第1の電極(31)を含む第1のコンパートメント(3)、ならびに  第2の化粧品組成物および第2の電極(61)を含む第2のコンパートメント(6)  を含む支持体(13)と、  (ii)少なくとも1つの対電極(14、32、62)とを含む、電流による身体領域の美容処置のための物品に関する。
2017505188.tif 000002
【特許請求の範囲】
【請求項１】
(i)第1の化粧品組成物および第1の電極(31、1)を含む第1のコンパートメント(3、10)、ならびに
第2の化粧品組成物および第2の電極(61、2)を含む第2のコンパートメント(6、20)
を含む支持体(13)と、
(ii)少なくとも1つの対電極(14、32、62)と
を含む、電流による身体領域の美容処置のための物品。
【請求項２】
第1の対電極(32)と第2の対電極(62)とを含む、請求項1に記載の物品。
【請求項３】
前記支持体(13)上に位置する電源(100)を含む、請求項1または2に記載の物品。
【請求項４】
前記第1の化粧品組成物と前記第2の化粧品組成物とが互いに異なる、請求項1から3のいずれか一項に記載の物品。
【請求項５】
前記コンパートメント(10、20、3、6)が電気絶縁ゾーン(12)により分離されている、請求項1から4のいずれか一項に記載の物品。
【請求項６】
前記電気絶縁ゾーン(23、12、13)が、前記コンパートメント(10、20)間における化粧品組成物の拡散を防ぐように設計されている、請求項5に記載の物品。
【請求項７】
前記電気絶縁ゾーン(23、12、13)が、10-6S・m-1未満および好ましくは10-12S・m-1未満の導電率を有する、請求項5または6に記載の物品。
【請求項８】
前記電気絶縁ゾーン(23、12、13)は、前記物品が乾燥しているときに、0.5より大きい、好ましくは1より大きい、好ましくは2.5より大きい比誘電率を有することにより定義される、請求項5から7のいずれか一項に記載の物品。
【請求項９】
前記電気絶縁ゾーン(23、12または13)が、電気絶縁性ポリマー、電気絶縁性セラミック、または空気から選択された材料を含む、請求項5から8のいずれか一項に記載の物品。
【請求項１０】
基本要素がDC電流、AC電流、またはパルス電流である順次電流により、物品に電力が供給される、請求項1から9のいずれか一項に記載の物品。
【請求項１１】
ユーザが電流の極性を切り替えることができるように設計された発電機を含む、請求項1から10のいずれか一項に記載の物品。
【請求項１２】
前記第1の化粧品組成物および前記第2の化粧品組成物が、治療用、洗浄用、浄化用、角質除去用、剥離用、マッサージ用、痩身用、化粧用、化粧落とし用、クレンジング用、または美白用組成物から選択される、請求項1から11のいずれか一項に記載の物品。
【請求項１３】
前記支持体(13)が不織布材料を含む、請求項1から12のいずれか一項に記載の物品。
【請求項１４】
前記第1の化粧品組成物および前記第2の化粧品組成物が、水溶液、油、エマルション、粉末、またはゲルの形を取る、請求項1から13のいずれか一項に記載の物品。
【請求項１５】
-  請求項1から14のいずれか一項に記載の物品を身体領域、特に顔に装着するステップと、
-  このように装着された前記物品内に電流の流れを作るステップと
を含む美容方法。
【発明の詳細な説明】
【技術分野】
【０００１】
本発明は、電流を用いるヒト角質物質の美容処置のための物品に関する。
【背景技術】
【０００２】
本発明の文脈で、「物品」とは、ヒト角質物質に当てることのできるマスク、パッチ、パッド、ストリップ、または包帯を意味するものと理解される。
【０００３】
「化粧品」という表現は、1993年6月14日付のCouncil Directive 93/35/EECで定義されたあらゆる組成物を意味するものと理解される。
【０００４】
化粧品組成物を塗布するための受動マスクが知られている。たとえば米国特許第6702792号は、顔用ローションを含浸させたセルロースマスクについて記載している。
【０００５】
しかしながら、受動的な方法により施される分子の量は依然として少ない。この状況を改善するために、電源に接続された電極を使用する能動パッチまたはマスクが開発されている。
【０００６】
したがって、イオン導入デバイスを使用してヒト角質物質を処置することが知られている(J. Singh、K. S. Bhatia、Topical iontophoretic drug delivery: pathways, principles, factors and skin irritation、Med. Res. Rev.、vol. 16、no. 3、285-296、1996)。
【０００７】
イオン導入により、電気刺激を用いて非侵襲的な方法で皮膚を通して活性薬剤を拡散させることが可能になる。加える電流は、強度および方向に関して調節可能であってよい(陽極または陰極)。イオン導入による分子の経皮的拡散は、2つの原理、すなわち、電気反発および電気浸透に基づく。
【０００８】
電気反発は、同符号の電荷の反発によるイオン化分子の移動である。したがって、物質が正電荷を有する場合、この物質は陽極(+)で皮膚を通って拡散する。
【０００９】
電気浸透は、イオン導入中の陽極から陰極への水の流れに関連付けられたエントレインメントによる、非イオン化分子も含む分子の移動である。移動は、特に皮膚の負電荷によるものである。電流の影響下で、水または溶媒が、移動するときに、溶解した材料を同伴する。
【００１０】
米国特許第6157858号または米国特許第7069088号は、少なくとも1対の電極を含む物品について記載している。電極は、可鍛性の支持体に配置される。ハウジング内に位置する支持体の外側にある発電機によって、電極に電力が供給される。物品を選択された身体領域に配置する前に、化粧品組成物をこの領域に塗布する。次いで、物品を顔に配置し、電流によって電極に電力を供給する。処置時間は15分〜1時間で変化する。
【００１１】
そのような物品では、選択された身体領域に1つの化粧品しか塗布することができない。したがって、領域全体が同じ組成物で処置される。そのような一律の処置では、領域が異なる性質の部位を含む場合に問題が生じることがある。たとえば、選択された領域が顔であれば、ある部位が他の部位よりも脂性であり得る。顔のある部位が他の部位よりも敏感であり得る。さらに他の部位に、深いまたは最初のしわがあることがある。
【００１２】
さらに、処置前にユーザが組成物を標的領域に塗布すると、有効成分の分布が不均一になることがある。
【００１３】
CN200951261は、活性電極が顔全体を覆い、戻り電極が身体の別の部分に取り付けられる物品について記載している。電気接点および電線が電極を電源に接続する。電源は、外部ハウジングに含まれる。マスクは、ゴムで作られた導電層を上に載せた、皮膚に接触する吸収層から構成される。化粧品組成物は、吸収布に含まれる。
【００１４】
米国特許第5443441号に記載された物品は、CN200951261に記載されたものと同様のベース構造を有するが、化粧品組成物が吸収布に含まれず、半透膜により皮膚から分離されたリザーバに含まれる点が異なる。
【００１５】
したがって、化粧品組成物を物品内ですぐに使用できる。ユーザは、組成物を顔に塗布する必要がないため、時間の節約になる。しかしながら、この物品は、電源が外部ハウジングに組み込まれているため、操作しにくい。
【００１６】
さらに、活性電極により、物品と身体領域との不均一な接触が生じ、したがって、皮膚上での電流の分布が不均一になることがある。
【００１７】
しかしながら、電流の分布が不均一だと、たとえば、電流密度が最も高い箇所において刺すような感覚または局所的に焼けるような感覚が生じることにより、ユーザの快適性が低下することがある。
【００１８】
最後に、これらの物品は、選択された身体領域の全体にわたって同じ化粧品組成物を送達する。考えられる特異性を考慮することなく、この領域全体が均一に処置される。
【００１９】
したがって、選択された身体領域の様々な部位を選択的に、かつ同時に処置できる電気物品を提供する必要がある。この物品は、操作が容易でなければならない。
【００２０】
また、少なくとも2つの異なる化粧品組成物をユーザの身体領域の2つの隣接部位に塗布することのできる物品を提供する必要がある。
【００２１】
また、既存の物品の大きさを小さくする必要がある。
【００２２】
加えて、有効成分を含む化粧品組成物を選択された領域の各部位に均一に塗布できるようにする物品を提案する必要がある。
【先行技術文献】
【特許文献】
【００２３】
【特許文献１】米国特許第6702792号
【特許文献２】米国特許第6157858号
【特許文献３】米国特許第7069088号
【特許文献４】CN200951261
【特許文献５】米国特許第5443441号
【特許文献６】CN101532190
【特許文献７】特開2009-179915
【特許文献８】WO2009/150972
【特許文献９】EP-A-0016498
【特許文献１０】EP0168849
【特許文献１１】WO2009/144684
【非特許文献】
【００２４】
【非特許文献１】Council Directive 93/35/EEC
【非特許文献２】J. Singh、K. S. Bhatia、Topical iontophoretic drug delivery: pathways, principles, factors and skin irritation、Med. Res. Rev.、vol. 16、no. 3、285-296、1996
【発明の概要】
【発明が解決しようとする課題】
【００２５】
本発明は、前述した必要のすべてまたは一部を解決し、かつ電流を用いるヒト角質物質の美容処置のための物品をさらに改良することも目的とする。
【課題を解決するための手段】
【００２６】
第1の態様によれば、本発明の主題は、
(i)第1の化粧品組成物および第1の電極を含む第1のコンパートメント、ならびに
第2の化粧品組成物および第2の電極を含む第2のコンパートメント
を含む支持体と、
(ii)少なくとも1つの対電極と
を含む、電流による身体領域の美容処置のための物品である。
【００２７】
特に、本発明による物品は、顔用マスクである。
【００２８】
本発明による物品を、特に、物品とは別の、電源を含むハウジングとともに使用してもよい。この場合、各処置時に新しい物品をハウジングに接続する。物品は、一般に、一度使用した後に処分できる。物品は、ハウジングと組み合わせて動作する。
【００２９】
物品に電源が組み込まれていてもよい。次いで、物品は自律的に動作する。各処置の終了時に、ユーザは物品をその電源とともに捨てる。
【００３０】
物品がマスクである場合、物品は、目、鼻および/または口用の開口部を有してもよい。
【００３１】
物品は、閉塞性または非閉塞性であってよく、たとえば蒸気を透過しない。
【００３２】
「顔」という用語は、ヒトの頭の前部の外側領域を意味するものと理解すべきである。顔は、特に、下顎、口、唇、人中、鼻、頬、頬骨、目、眉、および額を含む。
【００３３】
有利には、物品を顔に配置したときに、各コンパートメントが、下顎、唇、鼻、頬、頬骨、眉、および額から選択された1つの領域を覆う。
【００３４】
本発明によれば、「電極」は、正に帯電した電極(陽極)または負に帯電した電極(陰極)であると理解される。この電極は、一般に、角質物質に直接接触するように物品の外面に配置される。しかしながら、電極を物品の外壁に挿入してもよい。この場合、電極は角質物質に直接接触しない。一般に、電極は処置する領域に接触する。
【００３５】
本明細書全体を通して、「電極」という用語は、絶縁された単一の電極を意味する。電極は、たとえば、ボールまたはスタッドの形であってよい。「対電極」は、負に帯電した電極(陰極)または正に帯電した電極(陽極)であると理解される。対電極の電荷は、電極の電荷と反対である。
【００３６】
有利には、物品は第1の対電極と第2の対電極とを含む。特に、第1の対電極は第1の電極に面して配置され、第2の対電極は第2の電極に面して配置される。したがって、ユーザは、1つまたは複数の対電極を手で持つ必要はない。物品の使用がより容易になる。
【００３７】
あるいは物品は、特にすべての電極が同じ極性を有する場合に単一の対電極を含んでもよい。対電極は、治療処置を受ける人の身体の領域に接触するようになっている。たとえば、対電極を人の指の間で持つことができる。一構成では、コンパートメントから離れた物品の縁に対電極を配置してもよい。この場合には、対電極は絶縁空間により電極から分離される。
【００３８】
「電源システム」は、電極と対電極との電位差を引き起こすことのできる電気アセンブリであると理解される。物品を顔に配置し、対電極を手で持つと、電位差により、顔と手との間に電流を生じさせることができる。
【００３９】
「コンパートメント」は、化粧品組成物を別々に維持したまま収容するように物品内に作られる区画であると理解される。
【００４０】
有利には、第1のコンパートメントと第2のコンパートメントとが分離ゾーンによって分離される。一般に、分離ゾーンには化粧品組成物がない。したがって、ユーザは2つのコンパートメントを容易に区別することができる。コンパートメントを選択された領域に面して配置することが容易である。
【００４１】
電源
物品は、内部に電源を含むことができる。
【００４２】
マスクに電源を組み込むことにより、マスクを外部電源に接続する電線をなくすことができる。次いで、マスクの使用がさらに容易になり、ユーザが動きながら、または入浴中にマスクを使用することがより容易になる。
【００４３】
有利には、物品は支持体に位置する電源を含む。
【００４４】
電源を、着脱可能または着脱不可能な方法で物品に取り付けることができる。
【００４５】
電源を、たとえば、製造中にマスクに組み込むことができる。電源を物品の2つの外層間で挟むことができる。
【００４６】
処置の直前に電源を物品内に装着することも可能である。次いで、電源をマスクとは別にユーザに提供することができる。
【００４７】
電源はDC電圧源を含んでもよい。変形例として、電源は、発生する電圧の振幅を経時的に変化させる電子回路を含んでもよい。この電子回路は、たとえばチョッパであってよい。
【００４８】
電源を、たとえばカットアウトなしで電極に接続してもよい。この場合、物品が動作していないときに電源が放電しないように、電極間の電気抵抗は十分に高くてよい。
【００４９】
電源を導電性トラックに接触させるために、マスクの一部を押すことにより、前記電源を始動させることも可能である。
【００５０】
電源はDC電圧源を含んでもよい。変形例として、電源は、発生する電圧の振幅を経時的に変化させる電子回路を含んでもよい。この電子回路は、たとえば、チョッパまたは定電流源であってよい。
【００５１】
電源を、たとえばカットアウトなしで電極に接続してもよい。この場合、物品が動作していないときに電源が放電しないように、電極間の電気抵抗は十分に高くてよい。
【００５２】
電源を導電性トラックに接触させるために、マスクの一部を押すことにより、前記電源を始動させることも可能である。
【００５３】
電気パラメータ
電源は、何らかの再充電不可能なバッテリまたは何らかの蓄電池を含むことができる。電極間の電位差は、たとえば、1.2V〜24V、好ましくは1.2V〜3.3Vである。適切であれば、電流を通すことにより、スポットヒーティングを生じさせてもよい。
【００５４】
同等の電流密度で、物品は、特に、皮膚において、好ましくは0.500mA/cm2以下、たとえば0.01mA/cm2〜0.500mA/cm2、たとえば0.01mA/cm2〜0.10mA/cm2の電流密度を提供することができる。
【００５５】
様々なタイプの電流
直流電流、交流電流、または脈動電流を使用して、本発明による物品に電力を供給することが可能である。
【００５６】
好ましくは、基本要素がDC電流、AC電流、またはパルス電流である順次電流(sequential current)により、物品に電力が供給される。
【００５７】
順次電流は、スイッチを装着することにより得られる。電流切換デバイス、言い換えれば、スイッチが発電機とともに装着される。このスイッチにより、各コンパートメントに送られる電流の活性状態を変化させることができる。詳細には、電流は各コンパートメントに順次送られる。各シーケンスは1秒〜1分、好ましくは1秒〜10秒続く。
【００５８】
低強度の順次電流および連続電流により、物品に電力を供給してもよい。
【００５９】
有利には、発電機は、ユーザが電流の極性を切り替えることができるように設計される。
【００６０】
したがって、物品により、身体領域からの不純物の抜取り、身体領域の治療、または身体領域の化粧を自由に行うことができる。
【００６１】
電極
電極は、皮膚に直接接触できる可視自由面を有してもよい。
【００６２】
電極は、平坦で、たとえば平坦な円板状または多角形であってよい。
【００６３】
電極は多孔性であってよい。電極は、様々な形状、たとえば、外方に凸状、外方に凹状、または平坦な、皮膚に接触するようになっている表面を有することができる。好ましくは、電極は、皮膚を傷つけないように滑らかである。
【００６４】
電極を、2つの球体またはローラにより形成してもよく、これらはそれぞれのハウジング内で回転可能であっても回転不可能であってもよい。
【００６５】
電極は中空で、たとえば導電性金属シートを打ち抜くか曲げることにより形成することができる。
【００６６】
電極の製造に使用可能な材料
電極を形成する材料は、同一であっても異なっていてもよい。
【００６７】
少なくとも1つの電極は、たとえば、以下を含む。
-  たとえば金属(クロム、ステンレス鋼)、
-  組成物に対して不活性の貴金属(金、チタン)、
-  貴金属でめっきされた金属、
-  合金、
-  複合材料(炭素マイクロファイバが埋め込まれたプラスチック材料)、
-  導電性織布、
-  導電性不織布、
-  導電性にしたポリマー材料、
-  繊維材料、
-  導電性ポリマー繊維、たとえば公報CN101532190に記載のもの、
-  炭素繊維、たとえば特開2009-179915に記載のもの
-  銀、銅、または炭素などの導電性フィラーを添加することにより導電性にしたシリコーン。そのようなシリコーンは、たとえばSaint Gobain、Plastics Performance、Aquitaine Caoutchouc 2000という会社により提供される。
-  導電性金属繊維、たとえばUtexbelおよびCousin Biotechという会社により提供されるもの、
-  炭素充填ビニル、たとえばCopemaおよびRexamという会社により提供されるもの、
-  電気手術用プレート、たとえばCopemaおよび3Mという会社により提供されるもの、
-  本質的に導電性のポリマー、たとえばPaniplastという会社により提供されるもの。
【００６８】
物品は、第1の電極と第2の電極とをしっかりと固定する電気絶縁層を含むことができる。この層は、皮膚と反対の外面層であってよい。
【００６９】
「電極の活性領域」は、物品を身体領域に配置したときに、前記身体領域に接触する電極の領域を意味するものと理解される。
【００７０】
「コンパートメントの活性領域」は、物品を身体領域に配置したときに、前記身体領域に接触するコンパートメントの領域を意味するものと理解される。
【００７１】
有利には、第1の電極の活性領域が、第1のコンパートメントの活性領域の3分の1よりも大きい。
【００７２】
処置の有効性は、第1のコンパートメントと同じ高さで最適化される。処置は、第1のコンパートメントに面して位置する身体領域にわたってより均一となる。
【００７３】
有利には、第2の電極の活性領域が、第2のコンパートメントの活性領域の3分の1よりも大きい。
【００７４】
処置の有効性は、第2のコンパートメントと同じ高さで最適化される。処置は、第2のコンパートメントに面して位置する身体領域にわたってより均一となる。
【００７５】
電気絶縁ゾーン
電気絶縁ゾーンは、コンパートメント間に分離ゾーンを形成する。電気絶縁ゾーンは、コンパートメントを互いに電気的に絶縁するように完全に分離する。電気絶縁ゾーンは電気絶縁をもたらす。
【００７６】
電気絶縁ゾーンは、皮膚に直接接触できる可視自由面を有してもよい。
【００７７】
「電気絶縁ゾーン」という表現は、誘電材料とも呼ばれる電気絶縁体を含むゾーンを意味するものと理解される。このゾーンにより、電流が2つのコンパートメント間を流れることを防ぐ。このゾーンは、電気を通さない。
【００７８】
有利には、コンパートメントは電気絶縁ゾーンによって分離される。
【００７９】
さらに有利には、電気絶縁ゾーンは、コンパートメント間での化粧品組成物の拡散を防ぐように設計される。
【００８０】
電気絶縁ゾーンのパラメータ
電気絶縁ゾーンは、ゼロまたは略ゼロの導電率と無限の抵抗(∞Ω)とを有する。
【００８１】
電気絶縁ゾーンはまた、その誘電率および電気強度によって定義される。
【００８２】
有利には、電気絶縁ゾーンは、10-6S・m-1未満、好ましくは10-12S・m-1未満の導電率を有する。
【００８３】
誘電率
絶縁体の誘電率または誘電定数は、空気の誘電率(真空の誘電率に等しい)に対して表される。誘電率は、文字イプシロンεにより示され、ピコファラッド/メートルで表される。
【００８４】
真空誘電率は、
ε0=8,854187・10-12 F・m-1
に等しい。
【００８５】
材料の絶対誘電率は、式
ε=ε0×εR
に従って、その比誘電率(下記の表を参照)に真空誘電率を掛けた積である。
【００８６】
テフロン(登録商標)の場合、絶対誘電率は18.6pF/mである。
【００８７】
いくつかの絶縁体の誘電率および誘電強度
これらの値は近似しており、周波数、温度、湿度測定、またはさらには大気圧の関数として著しく変化し得る。
【００８８】
誘電率は、誘電定数(符号εr)とも呼ばれる。
【００８９】
誘電強度はkV/mmで表される。
【００９０】
【表１】
2017505188.tif 000003
【００９１】
有利には、電気絶縁ゾーンは、物品が乾燥しているときに、0.5より大きい、好ましくは1より大きい、好ましくは2.5より大きい比誘電率を有することにより定義される。
【００９２】
有利には、電気絶縁ゾーンは、3kV/mmより大きい、好ましくは4kV/mmより大きい、好ましくは20kV/mmより大きい電気強度によって定義される。
【００９３】
これらの値は、物品のコンパートメント間に最適な電気絶縁を得るために最適なものである。
【００９４】
好ましくは、電気絶縁ゾーンは、電気絶縁性ポリマー、電気絶縁性セラミック、または空気から選択された材料を含む。
【００９５】
寸法
電気絶縁ゾーンは、2 mm〜10mm、たとえば2 mm〜5mmの幅を有することができる。
【００９６】
電気絶縁ゾーンは、0.2 mm〜1mm、好ましくは0.2 mm〜0.5mmの厚さを有することができる。
【００９７】
電気絶縁ゾーンは、直線および/または湾曲であってよい。有利には、電気絶縁ゾーンは、直線ストリップの形を取ることができる。
【００９８】
電気絶縁性ポリマー
好ましくは、電気絶縁ゾーンは、絶縁性熱可塑性材料、絶縁性熱硬化性材料、絶縁性シリコーン、絶縁性熱可塑性エラストマー、ポリエステルベースもしくはポリエーテルベースの絶縁性熱可塑性ポリウレタン、またはPVCベースの絶縁性熱可塑性エラストマーから選択された材料を含む。
【００９９】
電気絶縁ゾーンは、有利には、以下の絶縁性熱可塑性物質、すなわち、ポリアミド(PA)、ポリオレフィンまたはポリアルケン(たとえばポリエチレンPE、ポリプロピレンPP、ポリメチルペンテンPMP、ポリブテンPB-1、ポリエチレンテレフタレートPET)、スチレンポリマー(たとえば、ポリスチレンPS、発泡性ポリスチレンEPS、アクリロニトリルブタジエンスチレンターポリマーABS)、ポリアクリル酸(ポリメチルメタクリレートPMMA)、またはビニルポリマー(たとえばポリメチルビニルエーテルPMVE、ポリビニルアセテートPVAc、ポリ塩化ビニルPVC)のうちの1つを含む。
【０１００】
あるいは、電気絶縁ゾーンは、有利には、以下の絶縁性熱硬化性材料、すなわち、皮膚との接触に適した可撓性の連続気泡フォームを形成するために、イソシアネートとヒドロキシル基との反応から作られるポリウレタン(PU)を含む。
【０１０１】
あるいは、主鎖が炭素原子を含まない無機ポリマーが、有利には、電気絶縁ゾーンの構成材料、特に、通俗的にはポリシロキサンまたはシリコーンとして使用される。使用されるシリコーンの一部の例は、ポリジメチルシロキサン(PDMS)、メチル基およびフェニル基(PMQ)を含むシリコーンゴム、メチル基、フェニル基およびビニル基(PVMQ)を含むシリコーンゴム、またはメチル基およびビニル基(VMQ)を含むシリコーンゴムである。
【０１０２】
分離ゾーンを構成する材料を、有利には、熱可塑性スチレンエラストマー(たとえば、ブタジエンスチレンコポリマーSBSおよびエチレンブチレンスチレンコポリマーSEBS)などの絶縁性熱可塑性エラストマーTPE、ポリエステル(AU)またはポリエーテル(EU)ベースの熱可塑性ポリウレタンTPU、ならびにPVCベースの熱可塑性エラストマー(TPE/PVC)から選択してもよい。
【０１０３】
電気絶縁ゾーンを構成する材料は、WO2009/150972、EP-A-0016498またはEP0168849に記載されたもののようなインクであってもよい。
【０１０４】
電気絶縁ゾーンを構成する材料を、加圧噴射と、それに続く溶媒の乾燥および蒸着またはスクリーン印刷プロセスとにより、物品に堆積させてもよい。電気絶縁ゾーンを構成する材料を、物品に化学的に含浸させてもよい。
【０１０５】
分離ゾーンの作製
電気絶縁ゾーンを作製するプロセスは、
-  織布または不織布の支持体を設けるステップと、
-  支持体を平らに置き、場合により、平坦面を有するように支持体を伸張させるステップと、
-  電気絶縁ゾーンのサイズおよび幾何形状を画成するステップと、
-  場合により、境界、特に金型を用いて電気絶縁ゾーンに印付けするステップと、
-  融点が支持体の構成材料の融点より著しく低い電気絶縁性ポリマーを選択するステップと、
-  溶融状態の電気絶縁性ポリマーを境界に堆積させるステップと、
-  周囲温度まで冷却することにより電気絶縁性ポリマーを硬化させるステップと、
-  場合により、金型を取り外すステップと、
-  場合により、支持体をひっくり返して、支持体の反対側で同じステップを再び実行するステップと
を含む。
【０１０６】
別の実施プロセスは、支持体上への絶縁性ポリマーインクのスクリーン印刷である。
【０１０７】
前述したステップは、支持体上にポリマーを「二重印刷」するプロセスの一部である。このプロセスにより、有利には、支持体に電気絶縁ゾーンの材料を深く均一に拡散させることができる。電気絶縁バリアがコンパートメント間に形成され、活性成分が所望の領域から出ることを防ぐ。
【０１０８】
前述した電気絶縁材料の1つから作られる電気絶縁ゾーンは、その接触面で、身体領域、特に皮膚に完全に付着する。この付着により、接触面と皮膚との間に水分または空気が確実になくなる。その上、コンパートメントの活性成分は、皮膚の表面に堆積されると、隣接する堆積領域で混ざり合うことがない。したがって、活性成分は、意図された身体領域に集中したままとなる。この集中により、2つの機構、すなわち閉塞およびイオン導入により、皮膚への成分の浸透を向上させる。
【０１０９】
化粧品組成物
第1の化粧品組成物および第2の化粧品組成物は、一般に、少なくとも1つの有効成分を含む。
【０１１０】
有効成分は、好ましくは帯電される。「帯電される」という用語は、イオンが正または負の正味電荷を有し、電界の影響下で組成物内における移動度を確保することのできるイオンの形で少なくとも部分的に存在する任意の有効成分を意味するものと理解される。したがって、活性薬剤は、電極の引付けまたは反発を直接受ける。
【０１１１】
有利には、第1の化粧品組成物および第2の化粧品組成物が、治療用、洗浄用、浄化用、角質除去用、剥離用、マッサージ用、痩身用、化粧用、化粧落とし用、クレンジング用、または美白用組成物から選択される。
【０１１２】
より有利には、第1の化粧品組成物および第2の化粧品組成物が、水溶液、油、エマルション、粉末、またはゲルの形を取る。
【０１１３】
第1の組成物および第2の組成物は、反対の電荷のそれぞれの異なる有効成分を含むことができる。
【０１１４】
2つの組成物は、好ましくはゲルの形を取る。
【０１１５】
考慮された実施形態とは関係なく、物品は、イオン導入および/または電気浸透により皮膚に作用を及ぼすことができる。
【０１１６】
物品により、身体領域の2つの隣接部位に向けた1つの組成物の移動を促すことができる。2つの組成物は同一であっても異なっていてもよい。
【０１１７】
組成物は、物品内に、たとえば凍結乾燥された形で存在する不活性有効成分を活性化するための組成物を含むことができる。この場合、組成物には帯電された有効成分がなくてもよい。組成物は、正および負に帯電した種を有する溶媒、たとえばイオン水溶液または脱イオン水の水溶液またはNaCl溶液を含むことができる。
【０１１８】
ユーザが活性化組成物、たとえば溶媒を物品に加えることも可能である。たとえば、ユーザは、物品を含む1つの同じパッケージ内に水が設けられていないときに流水を加えてもよい。
【０１１９】
物品と活性化組成物とを接触させるために、ユーザは組成物を物品に注いでもよい。物品は、たとえば、組成物を注ぐことができる小袋またはトレイ内にある。変形例として、ユーザは、組成物を皮膚に塗布して、次いで物品を上に当ててもよい。
【０１２０】
有利には、第1の化粧品組成物と第2の化粧品組成物とが互いに異なる。この場合、異なる性質の2つの身体領域を同じ物品で処置することができる。
【０１２１】
電気化学反応
一般に、本発明によるマスクを使用して有効成分を施そうとするときに、前記有効成分は電極と同じ極性を有する。たとえば、ビタミンA、酢酸トコフェロール、または他の正電荷/極性の有効成分などの正極性/電荷の有効成分を含む化合物を、正極性の電極と組み合わせることができる。
【０１２２】
一方、レチニルパルミテート、トコフェロール、またはマンデル酸などの負極性/電荷の有効成分を含む化合物を、負極性の電極と組み合わせることができる。
【０１２３】
身体の領域を物品で処置することが可能であり、物品のコンパートメントのすべてにより、1つの同じ極性の有効成分を施すことができる。
【０１２４】
また、あるコンパートメントにより1つの極性の有効成分を施すことができ、他のコンパートメントにより反対の極性の有効成分を施すことができるようにしてもよい。いずれの場合にも、電極および対電極の極性は、各コンパートメントの有効成分の極性によって決まる。
【０１２５】
支持体
寸法および構造
支持体は、広げた状態で、15cm〜80cm、たとえば25cm〜60cmの最大寸法を有することができる。
【０１２６】
支持体は、広げた状態で、0.1cm〜1cm、好ましくは0.2cm〜0.5cmの厚さを有することができる。
【０１２７】
支持体を、たとえば、必要な時間、皮膚に付けたままになっていることをユーザに警告することのできる音声および/または光信号を発生するように構成してもよい。
【０１２８】
使用後に、物品を完全に捨てることができる。
【０１２９】
絶縁層
支持体は、第1の電極および第2の電極を共に固定することのできる絶縁層を含んでもよい。絶縁層は可撓性であってよい。
【０１３０】
絶縁層は、たとえば、ポリアミド、スチレン、ポリオレフィン、またはビニルなどの絶縁性熱可塑性物質から選択された任意の電気絶縁体を含むことができる。
【０１３１】
電極材料を、接着、熱間圧延、溶着、またははんだ付けにより、絶縁層に固定してもよい。
【０１３２】
導電性トラックを、印刷、エッチング、転写、またはスクリーン印刷により絶縁体に形成してもよい。
【０１３３】
支持体材料
有利には、支持体は不織布材料を含む。したがって、支持体はより可撓性が高い。支持体は、選択された領域の輪郭に、より十分に適合する。
【０１３４】
不織布
「不織布」という用語は、本発明の意味において、個々の繊維またはフィラメントがシート状構造に不規則に配置された、繊維を含む基材を意味するものと理解される。不織布の繊維は、一般に、機械的作用の影響下で、または熱作用の影響下で、または結合剤の添加により、共に結合される。
【０１３５】
そのような不織布は、たとえば、規格ISO9092により、摩擦および/または抱合および/または接着によって結合された、一方向またはランダムに配向された繊維のウェブまたはシートであり、紙、ならびに結合糸もしくはフィラメントを組み込む織り、編み、また縫合せにより得られる製品を除くものと定義される。
【０１３６】
有利には、不織布に含まれるホットメルト繊維の重量パーセントは、0.5%より大きく100%以下、有利には5%〜80%である。
【０１３７】
ホットメルト繊維は、たとえば、ポリエチレン(PE)、ポリプロピレン(PP)もしくはポリエチレンテレフタレート(PET)繊維などのポリオレフィン繊維、またはポリメチルメタクリレート(PMMA)繊維などのアクリル繊維、ポリウレタン繊維、または以下の熱可塑性物質、すなわちポリ塩化ビニル(PVC)、スチレンポリマー(たとえばポリスチレンPS、発泡性ポリスチレンEPS、アクリロニトリルブタジエンスチレンターポリマーABS、スチレンアクリロニトリルコポリマーSAN、スチレンブタジエンコポリマーSB)、ポリアミド(PA)、ポリカーボネート(PC)、飽和ポリエステル(たとえばポリエチレンテレフタレートグリコールPET、ポリブチレンテレフタレートグリコールPBT)、ポリアセタール(たとえばポリオキシメチレンPOM、トリオキサンエチレンオキシドコポリマー)、ポリビニルアルコール(PVA)、またはフルオロポリマー(たとえばポリテトラフルオロエチレンPTFE、ポリフッ化ビニリデンPVDF、ポリクロロトリフルオロエチレンPCTFE)の繊維である。
【０１３８】
不織布を構成する他の繊維は、たとえば、石油派生物由来の合成繊維、植物もしくは動物由来の天然繊維、および/または、たとえば、繊維を形成するための処理プロセスもしくは再生プロセスに起因する変性天然繊維である。
【０１３９】
不織布を、1つまたは複数の連結繊維ウェブから形成してもよい。
【０１４０】
不織布の導電性
不織布配列の導電性は、組み込まれた導電性繊維のタイプ、量、向き、および分布に応じて決まる。不織布は、1500オーム/スクエア未満、または100オーム/スクエア未満、たとえば10オーム/スクエア未満の抵抗を有することができる。
【０１４１】
サンプルの導電性は、オームで表されるサンプルの抵抗を、サンプルの長さ対幅の比で割った商であるとして計算される。結果として得られるサンプルの抵抗は、オーム/スクエアで表される。より詳細には、抵抗の測定は、特許出願WO2009/144684に記載された「Method for Determining the Resistivity of a Printed Conductive Material」ASTMF1896-98に従うことができる。
【０１４２】
本発明はまた、
-  前述した物品を身体領域、特に顔に装着するステップと、
-  このように装着された前記物品内に電流の流れを作るステップと
を含む、美容方法に関する。
【０１４３】
本発明の別の主題は、
(i)電気絶縁ゾーンによって分離された、各々1つの電極を有する少なくとも2つのコンパートメントを含む支持体と、
(ii)少なくとも1つの対電極と
を含む、電流により身体領域を美容処置するための物品である。
【０１４４】
イオン導入物品を複数のコンパートメントに分割することにより、調節電流を考慮しながらマスクの有効性を高めることができる。
【０１４５】
特に、本発明による物品は、顔用マスクである。
【０１４６】
有利には、電気絶縁ゾーンは、コンパートメント間における化粧品組成物の拡散を防ぐように設計される。
【０１４７】
電気絶縁ゾーンは、流体を透過しないゾーンまたは流体が漏れないゾーンである。
【０１４８】
非限定的な例示的実施形態の以下の説明を読み、添付図面を考察することにより、本発明をより十分に理解できる。
【図面の簡単な説明】
【０１４９】
【図１】本発明による物品の例示的実施形態の概略正面図である。
【図２】物品の変形実施形態を示す概略図である。
【図３】本発明による物品の例示的実施形態の概略正面図である。
【図４】図3の例示的実施形態の横断面図である。
【図５】本発明による物品の別の例示的実施形態の横断面図である。
【図６】標準的なマスクに対する本発明によるマスクの有効性を示すグラフである。
【発明を実施するための形態】
【０１５０】
図中、明確にするために、様々な要素の実際の相対的比率が常に考慮されているわけではない。
【０１５１】
図1は、顔を覆うように構成された本発明によるマスクを示す。このマスクは、4つのコンパートメント、すなわち、
-  額を覆うためのコンパートメント1、
-  鼻を覆うためのコンパートメント2、
-  目の輪郭を覆うための2つのコンパートメント3、4
を有する不織布支持体13を含む。
【０１５２】
各コンパートメントは、電極、すなわち、
-  コンパートメント1の略全長にわたって延びる電極11、
-  コンパートメント2の略高さ全体にわたって延びる電極21、
-  コンパートメント3、4の略全長にわたって延びる電極31、41
を含む。
【０１５３】
図示した例では、マスクは、顔の略全体、すなわち両方の目の輪郭、鼻、および額Fを処置するように構成される。
【０１５４】
マスクは、たとえば、バラクラバの形を取ることもできる。
【０１５５】
マスクは、適切であれば、マスクを顔に固定するための手段を含む。
【０１５６】
図1に示すように、マスクは電源100を内部に含む。電源100は、たとえば、バッテリまたは蓄電池であってよい。電源100は、たとえば、Enfucellタイプの平坦な可撓性バッテリである。
【０１５７】
ハウジングを、電源100を収容するようにマスク内に製造することができる。このハウジングは、たとえば、不織布の1つまたは複数の層の厚さに切り込まれる。
【０１５８】
電源100は、
-  導電性トラック16、17、18、19に接続された電気端子と、
-  対電極14に接続された電気端子と
を含むことができる。
【０１５９】
マスクを顔に配置したときに、対電極14を人の手で持つ。
【０１６０】
導電性トラック16、17、18、19により、電極11、21、31、41に電流を供給することができる。導電性トラックを、たとえば、金属から作るか、または導電性インクにより形成することができる。
【０１６１】
電極11、21、31、41を、金属から作っても金属から作らなくてもよい。電極は、たとえば、導電性にしたシリコーン、金属織布、または導電性ポリマーを含むことができる。適切であれば、各電極11、21、31、41は、それぞれの導電性トラックと一体形成される。
【０１６２】
電極11、21、31、41の導電率は、内部に導電性電解質があること、場合により、それ自体が導電性であっても導電性でなくてもよい基材にこの導電性電解質を含浸させることに関連し得る。
【０１６３】
マスクの外面を、電極11、21、31、41よりも大きい領域にわたって延びることのできる絶縁支持体により、皮膚とは反対の側で少なくとも部分的に、またはさらには完全に画成することができる。
【０１６４】
絶縁支持体により、様々な下部要素を共に固定することができる。
【０１６５】
この絶縁支持体は、可撓性で、たとえば、絶縁性熱可塑性フィルム、たとえばポリアミド、スチレン、ポリオレフィン、またはビニルから選択されたフィルムから選択され得る。
【０１６６】
導電性トラック16、17、18、19を、絶縁支持体のエッチングにより、またはスクリーン印刷により形成しても、転写により施してもよい。導電性トラック16、17、18、19を絶縁支持体に加えることのできる他のプロセスも可能である。
【０１６７】
以下のTable 1(表2)は、図1のマスクの各コンパートメントにより送達される活性薬剤と電極の極性とをまとめたものである。
【０１６８】
【表２】
2017505188.tif 000004
【０１６９】
図2は、本発明による別の例示的なマスクの概略図である。
【０１７０】
このマスクは、4つのコンパートメント、すなわち、
-  目の輪郭を覆うための2つのコンパートメント3、4、
-  頬骨を覆うための2つのコンパートメント5、6
を有する不織布支持体13を含む。
【０１７１】
各コンパートメントは、電極31、41、51、61を含む。
【０１７２】
対電極32、42、52、62が、電極31、41、51、61に直接面した各コンパートメント3、4、5、6に配置されていることが見て取れる。この場合、ユーザの手が自由になる。ユーザは1つまたは複数の対電極を手に持たない。
【０１７３】
マスクは、内部に電源100を含むことができる。
【０１７４】
電源100は、
-  導電性トラック16、17、18、19に接続された電気端子と、
-  導電性トラック26、27、28、29に接続された電気端子と
を含むことができる。
【０１７５】
導電性トラック16、17、18、19により、電極31、41、51、61に電流を供給することができる。
【０１７６】
導電性トラック26、27、28、29により、対電極32、42、52、62に電流を供給することができる。
【０１７７】
絶縁層を、ユーザの皮膚と電極のネットワークとの間に局所的に置いてもよい。この絶縁層により、マスクの快適性が高まり、電源100および電極のネットワークをマスク内で保持することができる。また、絶縁層により、電源100をユーザの皮膚から電気的に絶縁することができる。
【０１７８】
図1および図2の例にあるように、導電性トラックは、電極をわずかにのみ覆うことができる。
【０１７９】
電気トラックは、図示したもの以外の形状を有してもよい。特に、電気トラックを分岐させてもよい。導電性トラックが、顔の輪郭をより適切になぞる略環状に弧状の構造を有することも可能である。
【０１８０】
以下のTable 2(表3)は、図2のマスクの各コンパートメントにより送達される活性薬剤と電極の極性とをまとめたものである。
【０１８１】
【表３】
2017505188.tif 000005
【０１８２】
たとえば、図2のマスクについて、Table 3(表4)に示す組成物および電極を使用することも可能である。この場合、電気トラックを、電源100の対応する極性に適切に接続されるように配置しなければならない。
【０１８３】
【表４】
2017505188.tif 000006
【０１８４】
図1または図2に示すマスクを使用するために、手順は次のようになる。
【０１８５】
マスクを顔に配置する。
【０１８６】
ユーザが、制御ボタンを介してマスクの動作を引き起こす。
【０１８７】
処置時間は15分〜20分で変化し、場合により、限定要因はバッテリ動作時間である。
【０１８８】
処置が終了すると、マスクは再利用されないが、何か他の方法でこれを再利用してもよい。
【０１８９】
図3〜図6では、明確にするために、様々な要素の実際の相対的比率が常に考慮されているわけではない。
【０１９０】
図3〜図6に示す物品は、顔用マスクである。
【０１９１】
マスクは、支持体50と対電極40とを含む。
【０１９２】
マスクは、3つのコンパートメント10、20、30を含む。
【０１９３】
各コンパートメントは、電極1、2、3を含む。
【０１９４】
コンパートメント10、20、30は、電気絶縁ゾーン23、12、13により互いに分離される。
【０１９５】
物品は、外側に対電極40を有するハンドルと、各コンパートメント10、20、30に接続された3本のケーブルとを含む。
【０１９６】
ハンドル内には、定電流源、制御ボタン、バッテリ、プログラム可能なスイッチが含まれる。このスイッチにより、必要に応じて3本のケーブルに順次または同期して電力を供給することができる。最大総電流は、5mAにまで及ぶ。
【０１９７】
マスクの別の変形例では、対電極40が、顔にすぐ隣接した領域に配置される。これにより、電流が心臓および感覚器官(神経および筋肉)を通ることを防ぐ。活性薬剤を皮膚に浸透させるときに、より適切な焦点が得られる。さらに、電気の安全に関する危険を全く冒すことなく、最大総電流が5mA超まで増加する。
【０１９８】
図4は、2つのコンパートメント10、20を有する図1の不織布マスクの横断面を示す。コンパートメント10、20は、電気絶縁ゾーン12によって分離される。このゾーンは、絶縁バリアインクの二重印刷によって作られる。したがって、インクは、支持体50の繊維に深く浸透する。バリアインクは、電気絶縁ゾーンを作る。各コンパートメント10、20に化粧品組成物を含浸させてもよい。
【０１９９】
この場合、バリアインクにより、導電性化粧品組成物が支持体50の厚さに入ることを防ぐ。
【０２００】
電気絶縁性気密フィルム7は、バリアインクにおいて支持体に付着する。電気絶縁性気密フィルム7は、マスク全体の可撓性が維持されるように選択される。バリアインクにより、電気絶縁性気密フィルム7は、化粧品組成物がバリアインクを迂回して一方のコンパートメント10から他方のコンパートメント20に移動することをさらに防ぐ電気絶縁ゾーン12を画定する。
【０２０１】
さらに、電気絶縁ゾーン12は、付着により皮膚60との良好な接触を生じさせる。導電性化粧品組成物は、一方のコンパートメントから他方のコンパートメントへ移ることができない。電極1、2間の良好な電気絶縁が確保される。
【０２０２】
また、マスクを多層として製造するこの方法により、処置時間全体を通してマスクの水分が確実に長持ちする。また、この方法により、閉塞およびイオン導入の2つの機構による化粧用活性薬剤の浸透性能が向上する。
【０２０３】
印刷されたバリアインクトラックは、非常に幅広である必要はなく、処置領域間に最適な絶縁を生じさせるのに2mm〜5mmで十分である。
【０２０４】
図5は、2つのコンパートメント10、20を有する別の不織布マスクの横断面を示す。コンパートメント10、20は電気絶縁ゾーン12により分離される。このゾーン12は、
-  空気121と、
-  電気絶縁性気密フィルム7、たとえば可撓性接着剤tesa(登録商標)PVC絶縁性フィルムと
により形成される。
【０２０５】
気密フィルム7は、コンパートメント10、20に付着できるように、内面が接着剤で処理される。支持体50は、フィルムに接触する表面がテフロン(登録商標)で覆われる。また、支持体50は、別個のコンパートメント10、20にあらかじめ切り分けられる。たとえば使用時に、支持体50に化学組成物を含浸させた後、マスクを顔に当てる。フィルムの内面の接着剤処理により、確実に皮膚60に付着し、結果として、別個の独立した処置領域が作られる。
【０２０６】
図6は、図1、図2のマスクにより送達される電流の用量の関数として、皮膚に浸透する活性薬剤LR2412(登録商標)の量の変動を示す。
【０２０７】
この図では、
-  三角は、Lancomeにより販売されているクリームVisionnaire(登録商標)について、0.1mA/cm2に等しい電流の場合に標準の発電機を用いて得られた点を表し、
-  四角は、Lancomeにより販売されているクリームVisionnaire(登録商標)について、0.15mA/cm2でHitachiの発電機を用いて得られた点を表し、
-  円は、Lancomeにより販売されているクリームVisionnaire(登録商標)について、0.3mA/cm2で標準の発電機を用いて得られた点を表す。
【０２０８】
曲線の比較から、同じ電気用量(mA.分/cm2)について、LR2412(登録商標)の浸透は、ある強度の電流で最適量に達することを示す。
【０２０９】
このマスクの場合、30分の処置についての用量は、10mA*30分/300cm2=1mA.分/cm2である。
【０２１０】
この場合、活性薬剤の最大浸透量をもたらす電流は0.1mA/cm2である。
【０２１１】
このことは、マスクを3つの領域に切り分け、2つまたは4つまたは5つの領域に切り分けない理由を説明している。
【０２１２】
図1に提示するマスクを使用するために、手順は次のようになる。
【０２１３】
マスクを顔に配置する。
【０２１４】
ユーザが、制御ボタンを介してマスクの動作を引き起こす。
【０２１５】
処置時間は15分〜1時間で変化し、場合により、限定要因はバッテリ動作時間である。
【０２１６】
処置が終了すると、マスクは再利用されないが、何か他の方法でこれを再利用してもよい。
【０２１７】
本発明は、説明した例に限定されない。
【０２１８】
図示した例の実施の特徴を、図示しない変形例において共に組み合わせてもよい。電極の構造および各コンパートメントにおいて電極が占める表面積は特に異なっていてもよい。支持体の性質、ならびにコンパートメントの数およびサイズは異なっていてもよい。化学組成物の性質および電極の極性についても同じことが当てはまる。
【０２１９】
「comprising a(〜を含む)」という表現は、「comprising at least one(少なくとも1つの〜を含む)」と同義であるものと解釈すべきである。
【符号の説明】
【０２２０】
1、2、3、4、5、6、10、20、30  コンパートメント
1、2、3、11、21、31、41、51、61  電極
7  電気絶縁性気密フィルム
12、13、23  電気絶縁ゾーン
13、50  支持体
14、32、40、42、52、62  対電極
16、17、18、19、26、27、28、29  導電性トラック
60  皮膚
100  電源
121  空気
【図１】
2017505188.tif 000007
【図２】
2017505188.tif 000008
【図３】
2017505188.tif 000009
【図４】
2017505188.tif 000010
【図５】
2017505188.tif 000011
【図６】
2017505188.tif 000012
【国際調査報告】
2017505188.tif 000013
2017505188.tif 000014
2017505188.tif 000015
2017505188.tif 000016
2017505188.tif 000017
2017505188.tif 000018